(57)【要約】【課題】室内の空気を加湿することに加え除菌・消臭することができる熱交換形換気装置を提供する。【解決手段】熱交換素子２を有する送風ユニット３と、加湿部４を有する加湿ユニット５と、電極６を有する電解ユニット７と、を備えた熱交換形換気装置であって、給気風路１４は、給気ファン８により外気吸込口１１から給気口１３へ外気が送風され、排気風路１５は、排気ファン９により室内空気吸込口１０から排気口１２へ室内の空気が送風され、熱交換素子２は、給気風路１４と排気風路１５とが交差する位置に設けられ、給気ファン８により外気吸込口１１から吸い込まれた空気は、加湿部４を通過した後に給気口１３から吹き出され、電解ユニット７は、電極６への通電により電解水を生成し、電解ユニット７で生成された電解水は、加湿部４へ供給される熱交換形換気装置。【選択図】図１
2020085376.tif 000002
【特許請求の範囲】
【請求項１】
熱交換素子を有する送風ユニットと、
加湿部を有する加湿ユニットと、
電極を有する電解ユニットと、を備え、
前記送風ユニットは、給気ファンと、排気ファンと、室内空気吸込口と、外気吸込口と、排気口と、給気口と、給気風路と、排気風路と、を備え、
前記給気風路は、前記給気ファンにより前記外気吸込口から前記給気口へ外気が送風され、
前記排気風路は、前記排気ファンにより前記室内空気吸込口から前記排気口へ室内の空気が送風され、
前記熱交換素子は、前記給気風路と前記排気風路とが交差する位置に設けられ、
前記給気ファンにより前記外気吸込口から吸い込まれた空気は、前記加湿部を通過した後に前記給気口から吹き出され、
前記電解ユニットは、前記電極への通電により電解水を生成し、
前記電解ユニットで生成された電解水は、前記加湿部へ供給されることを特徴とする熱交換形換気装置。
【請求項２】
前記加湿ユニットは、吸込口と、吹出口と、貯水部と、を備え、
前記吸込口から吸い込まれた空気は、前記加湿部により加湿され、
前記加湿部により加湿された空気は、前記吹出口から吹き出され、
前記加湿部は、吸上管と、回転板と、を有し、
前記吸上管は、前記貯水部の液体を吸い上げ、
前記回転板は、前記吸上管が吸い上げた液体を回転により微細化することを特徴とする請求項１に記載の熱交換形換気装置。
【請求項３】
前記電解ユニットと前記加湿ユニットとは別体であることを特徴とする請求項１または２に記載の熱交換形換気装置。
【請求項４】
前記加湿ユニットは、前記電解ユニットにより生成された電解水を貯留する貯水タンクを備えることを特徴とする請求項１〜３のいずれか１項に記載の熱交換形換気装置。
【発明の詳細な説明】
【技術分野】
【０００１】
本発明は、空気を加湿する加湿部を備えた熱交換形換気装置に関するものである。
【背景技術】
【０００２】
例えば、従来の加湿機能を有する熱交換形換気装置の構成は、以下のような構成となっていた。
【０００３】
図８に示すように、除加湿換気装置１０２Ａは熱交換素子１２１と、送風ファン部１２４Ｃと、散水装置１２９ａと、を備える。除加湿換気装置１０２Ａは、送風ファン部１２４Ｃにより吸い込んだ外気ＯＡを、散水装置１２９ａによる散水で加湿して、給気ＳＡとして部屋１００に給気する構成となっている。
【先行技術文献】
【特許文献】
【０００４】
【特許文献１】国際公開第２００９／０１１３６２号
【発明の概要】
【発明が解決しようとする課題】
【０００５】
このような従来の熱交換形換気装置は、室内の空気を加湿することはできたが、室内の空気を除菌や消臭することができないという課題があった。
【０００６】
そこで本発明は、上記課題を解決するものであり、室内の空気を加湿することに加え除菌・消臭することができる熱交換形換気装置を提供することを目的とする。
【課題を解決するための手段】
【０００７】
そして、この目的を達成するために、本発明の一態様に係る熱交換形換気装置は、熱交換素子を有する送風ユニットと、加湿部を有する加湿ユニットと、電極を有する電解ユニットと、を備え、前記送風ユニットは、給気ファンと、排気ファンと、室内空気吸込口と、外気吸込口と、排気口と、給気口と、給気風路と、排気風路と、を備え、前記給気風路は、前記給気ファンにより前記外気吸込口から前記給気口へ外気が送風され、前記排気風路は、前記排気ファンにより前記室内空気吸込口から前記排気口へ室内の空気が送風され、前記熱交換素子は、前記給気風路と前記排気風路とが交差する位置に設けられ、前記給気ファンにより前記外気吸込口から吸い込まれた空気は、前記加湿部を通過した後に前記給気口から吹き出され、前記電解ユニットは、前記電極への通電により電解水を生成し、前記電解ユニットで生成された電解水は、前記加湿部へ供給されることを特徴とする熱交換形換気装置であって、これにより所期の目的を達成するものである。
【発明の効果】
【０００８】
本発明によれば、電解水を生成させる電解ユニットを備える構成にしたことにより、加湿用水として電解水を使用することができるので、室内の空気を加湿することに加え、除菌・消臭することができる熱交換形換気装置を提供することができる。
【図面の簡単な説明】
【０００９】
【図１】本発明の実施の形態１に係る熱交換形換気装置の正面側を示す斜視図
【図２】同熱交換形換気装置の背面側を示す斜視図
【図３】同熱交換形換気装置の概略断面図
【図４】本発明の実施の形態１に係る電極ユニットを示す斜視図
【図５】本発明の実施の形態１に係る加湿ユニットの正面側を示す斜視図
【図６】同加湿ユニットの背面側を示す斜視図
【図７】同加湿ユニットの概略断面図
【図８】従来の熱交換形換気装置を示す概略図
【発明を実施するための形態】
【００１０】
本発明の一態様に係る熱交換形換気装置は、熱交換素子を有する送風ユニットと、加湿部を有する加湿ユニットと、電極を有する電解ユニットと、を備え、送風ユニットは、給気ファンと、排気ファンと、室内空気吸込口と、外気吸込口と、排気口と、給気口と、給気風路と、排気風路と、を備え、給気風路は、給気ファンにより外気吸込口から給気口へ外気が送風され、排気風路は、排気ファンにより室内空気吸込口から排気口へ室内の空気が送風され、熱交換素子は、給気風路と排気風路とが交差する位置に設けられ、給気ファンにより外気吸込口から吸い込まれた空気は、加湿部を通過した後に給気口から吹き出され、電解ユニットは、電極への通電により電解水を生成し、電解ユニットで生成された電解水は、加湿部へ供給される。
【００１１】
これにより、熱交換形換気装置は加湿ユニットによって電解水を使用して室内空気を加湿することができるので、室内空気の加湿に加え除菌・消臭するという効果を奏する。
【００１２】
また、加湿ユニットは、吸込口と、吹出口と、貯水部と、を備え、吸込口から吸い込まれた空気は、加湿部により加湿され、加湿部により加湿された空気は、吹出口から吹き出され、加湿部は、吸上管と、回転板と、を有し、吸上管は、貯水部の液体を吸い上げ、回転板は、吸上管が吸い上げた液体を回転により微細化する構成としてもよい。
【００１３】
この構成によって、加湿部による加湿量は、回転板の回転数により定まる。つまり、加湿ユニット（特に加湿部）は、回転板の回転数を制御することで、加湿量をコントロールすることができる。これにより、熱交換素子に加えて、加湿部によって加湿量をコントロールできるので、湿度をより適切にコントロールすることができる。すなわち、熱交換素子と加湿部によって、全体として、より的確に室内等の湿度を目標とする湿度とすることができる。
【００１４】
また、電解ユニットと加湿ユニットとは別体である構成としてもよい。
【００１５】
この構成によって、電解ユニットと加湿ユニットを個別に設置、取り外し等をすることができるので、設置の際の施工性やメンテナンスの際の作業性が向上する。
【００１６】
また、加湿ユニットは、電解ユニットにより生成された電解水を貯留する貯水タンクを備える構成としてもよい。
【００１７】
この構成によって、生成した電解水を貯水タンクに貯めておくことができる。これにより、貯水タンクに電解水があり電解水を生成する必要がない、すなわち電解ユニットを運転させる必要がない場合には、電極への通電を止めることができる。この結果、省エネ性を向上させることができる。
【００１８】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、図面ごとの説明は省略している。
【００１９】
（実施の形態１）
本発明の一態様に係る熱交換形換気装置の構成について図１から図５を用いて説明する。
【００２０】
図１に示すように、熱交換形換気装置１は、熱交換素子２を有する送風ユニット３と、加湿部４を有する加湿ユニット５と、電極６を有する電解ユニット７と、を備えている。
【００２１】
まず、送風ユニット３の構成について図１から図３を用いて説明する。
【００２２】
図１は、本発明の実施の形態１に係る熱交換形換気装置の正面側を示す斜視図である。図２は、本発明の実施の形態１に係る熱交換形換気装置の背面側を示す斜視図である。図３は、本発明の実施の形態１に係る熱交換形換気装置の概略断面図を示したものである。
【００２３】
送風ユニット３は、本体ケース３６と、給気ファン８と、排気ファン９と、室内空気吸込口１０と、外気吸込口１１と、排気口１２と、給気口１３と、給気風路１４と、排気風路１５と、を備える。
【００２４】
本体ケース３６は箱状であって、例えば床に置かれた状態で使用される。
【００２５】
本体ケース３６の例えば天面には、外気吸込口１１、給気口１３、室内空気吸込口１０、および排気口１２が設けられている。
【００２６】
外気吸込口１１は、室内空気吸込口１０および排気口１２と隣り合う位置に設けられる。また、給気口１３は、室内空気吸込口１０および排気口１２と隣り合う位置に設けられる。すなわち、室内空気吸込口１０および排気口１２は、外気吸込口１１および給気口１３と隣り合う位置にそれぞれ設けられる。
【００２７】
外気吸込口１１、給気口１３、室内空気吸込口１０、および排気口１２には、それぞれダクトが接続できる形状となっている。外気吸込口１１と排気口１２に接続したダクトは建物外壁面まで引き回して建物外の屋外空気と連通する。給気口１３と室内空気吸込口１０に接続したダクトは室内の天井面または壁面と連通されて室内空気と連通する。
【００２８】
本体ケース３６は内部に、熱交換素子２と、給気ファン８と、排気ファン９と、給気風路１４と、排気風路１５を有する。
【００２９】
給気風路１４は、給気ファン８により、屋外の空気（給気空気）を外気吸込口１１から吸い込み、熱交換素子２を通って給気口１３から加湿ユニット５を介して室内に供給する風路である。すなわち、給気ファン８により外気吸込口１１から吸い込まれた空気は、熱交換素子２を通過した後に給気口１３から吹き出され、加湿ユニット５に流入する。
【００３０】
排気風路１５では、排気ファン９により、室内空気吸込口１０から室内空気を吸い込み、熱交換素子２を通って排気口１２へ室内の空気が送風される。排気風路１５を通過した室内空気は、外部に排気される。
【００３１】
熱交換素子２は、給気風路１４と排気風路１５とが交差する位置に設けられる。熱交換素子２は、給気ファン８もしくは排気ファン９の下方に設けられる。
【００３２】
熱交換素子２は、給気ファン８により吸い込まれ、送風ユニット３内部（特に、給気風路１４）を通過する空気の湿度を回収（交換）する湿度回収（湿度交換）の機能を有している。熱交換素子２は、例えば全熱交換素子であるが、温度を回収（交換）する機能を有するデシカント式、ヒートポンプ式の熱交換器などであってもよい。
【００３３】
熱交換素子２は、排気風路１５を通過する空気と給気風路１４を通過する空気の湿度交換を行う。なお、熱交換素子２は、湿度だけでなく温度を回収（交換）する機能を有していてもよい。これにより、より快適な空気を室内に供給することができる。
【００３４】
また、送風ユニット３は制御部（図示せず）を有していてもよい。制御部は、給気ファン８の運転や排気ファン９の運転を制御する。これにより、例えば加湿ユニット５が運転していないときでも、送風ユニット３の熱交換素子２により湿度回収を行うことで、室内に給気する空気の湿度コントロールをすることができる。
【００３５】
なお、本実施の形態では、送風ユニット３を床に置いて使用する態様を示しているが、送風ユニット３は本体ケース３６を横向きに設置するような構成であってもよい。つまり、送風ユニット３の給気口１３等は天面ではなく側面に設けられてもよい。このとき、本体ケース３６側面から吸い込み、本体ケース３６側面から吹き出されるような風路構成となる。これにより、送風ユニット３は例えば天井裏や床下などにも設置可能となり、加湿ユニット５は、さまざまな送風ユニット３に接続可能であることとなる。
【００３６】
また、熱交換素子２によって湿度回収された後の空気は、加湿ユニット５を通らないようにバイパスされて室内に供給されてもよい。これにより、例えば加湿ユニット５は運転せず、送風ユニット３のみ運転するような場合に、熱交換素子２により湿度回収された後の空気を効率よく室内に供給することができる。
【００３７】
次に、加湿ユニットと送風ユニットとの接続について説明する。なお、加湿ユニットの構成の詳細については後述する。
【００３８】
図２に示すように、加湿ユニット５は、送風ユニット３の天面に設置される。例えば、加湿ユニット５と送風ユニット３は、脚部分４６ａと台座部分４６ｂとを有する支持部４６で接続される。このとき、脚部分４６ａと送風ユニット３が固定され、台座部分４６ｂと加湿ユニット５が固定される。すなわち、図２に示すように、支持部４６（特に台座部分４６ｂ）に加湿ユニット５が載置されるような状態となる。これによって、加湿ユニット５と送風ユニット３は離間して設けられるので、例えば、送風ユニット３天面に接続されるダクトの引き回し等の条件が緩和され、加湿ユニット５および送風ユニット３の施工性が向上する。
【００３９】
そして、ダクト４５を介して、送風ユニット３の給気口１３と加湿ユニット５の吸込口１６が連通する。つまり、給気口１３と吸込口１６にダクト４５が接続される。これにより、送風ユニット３の給気ファン８によって、給気口１３から吹き出された空気はダクト４５を通過して吸込口１６から加湿ユニット５に流入する。吸込口１６にダクトが接続可能であるため、加湿ユニット５は、送風ユニット３に追加で設置すること、すなわち、あとづけが可能となり、さまざまな送風ユニット３に対応可能となる。
【００４０】
また、送風ユニット３は、加湿ユニット５および送風ユニット３を通過する空気の流れにおいて、加湿ユニット５より上流側に設けられる。言い換えれば、加湿ユニット５は送風ユニット３の下流側に設けられる。このとき、熱交換素子２で湿度回収された後の空気が加湿ユニット５に流入するので、より効率的に湿度をコントロールすることができる。また、熱交換素子２と加湿ユニット５の２箇所で湿度制御を行うことで、熱交換素子２や加湿ユニット５にヒータ等を設置していない場合でも、十分な加湿量を確保することができる。また、加湿量を確保するためのヒータが不要になることで、省エネを実現できる。
【００４１】
なお、加湿ユニット５と送風ユニット３は着脱可能であってもよい。これにより、加湿ユニット５と送風ユニット３を別個に取り外すことができるので、メンテナンス性が向上する。
【００４２】
次に、図４を用いて、電解ユニット７の構成について説明する。図４は、電解ユニット７を示す斜視図である。
【００４３】
電解ユニット７は、水を電気的に処理する電極６を備えている。電極６は、第一の電極６ａと、第二の電極６ｂとから構成され、電解ユニット７内部で水に浸っている。第一の電極６ａおよび第二の電極６ｂは図示しない外部の電源に接続される。
【００４４】
電解ユニット７は配管５０等により加湿ユニット５と接続される。
【００４５】
ここで、図４を用いて、電解ユニット７での電解水の生成方法について詳細に説明する。
【００４６】
電解ユニット７内に、電解促進錠剤を投入することで塩化物イオンが生成される。そして、電極６に通電することで第一の電極６ａと第二の電極６ｂとに電圧を印加し、生成された塩化物イオンが電極６で電気化学的に分解されて次亜塩素酸水（電解水）が生成される。そして、電解ユニット７で生成された次亜塩素酸水は加湿部４へ供給される。加湿部４は、供給された次亜塩素酸水（電解水）を用いて室内へ供給される空気を加湿する。加湿部４による加湿方法については後述する。
【００４７】
ここで、電解促進錠剤とは、例えば塩化ナトリウムの錠剤である。
【００４８】
このような構成によれば、次亜塩素酸水を用いて室内空気を加湿することにより、室内空気を加湿に加え除菌・消臭することができる。
【００４９】
また、電解ユニット７は電解促進錠剤投入装置（図示せず）を備える構成としてもよい。これにより、電解促進錠剤を自動で投入することができる。また、このとき、室内空気の汚染状態を検知するセンサ（図示せず）を別途設けてもよい。これにより、センサで検知した室内空気の汚染状態に基づいて、電解促進錠剤投入装置が電解促進錠剤を投入することで、次亜塩素酸水による加湿運転を効率よく行うことができる。
【００５０】
なお、電解ユニット７の形状は図示したものに限られず、加湿ユニット５および送風ユニット３との接続方法に応じて適宜設定するものとする。
【００５１】
次に、図５から図７を用いて加湿ユニットの構成について説明する。
【００５２】
図５は、本実施の形態に係る加湿ユニットの正面側を示す斜視図である。図６は、本実施の形態に係る加湿ユニットの背面側を示す斜視図である。図７は、本実施の形態に係る加湿ユニットの概略断面図を示したものである。
【００５３】
図５および図６に示すように、加湿ユニット５は、吸込口１６と、吹出口１７と、内筒１９と、外筒２３と、水受け部２６と、を備えている。加湿ユニット５は、円柱状の容器として構成されている。
【００５４】
吸込口１６は、ダクト接続可能な形状（例えば円形形状）の開口であり、加湿ユニット５の側面に設けられている。
【００５５】
吹出口１７は、加湿ユニット５内部を通過した空気が吹き出される開口であり、加湿ユニット５の上面に設けられている。また、吹出口１７は、後述する内筒１９と外筒２３とで仕切られる領域に形成される。そして、例えば吹出口１７は、加湿部４の上面部における内筒１９の周囲に設けられる。さらに、吹出口１７は、吸込口１６よりも上方に位置するように設けられている。また、吹出口１７は、筒状のダクトが接続可能な形状である。
【００５６】
吸込口１６から取り込まれた（吸い込まれた）空気は、吹出口１７から吹き出される（流出する）。
【００５７】
内筒１９は、加湿部４内部の中央付近に配置される。また、図７に示すように、内筒１９は、略鉛直方向下方に向けて開口した通風口２１を有し、中空円筒形状に形成されている。外筒２３は、円筒形状に形成され、内筒１９を内包するように配置されている。
【００５８】
また、加湿ユニット５の下方には、水受け部２６が設けられる。水受け部２６は、後述する貯水部２４に貯水しきれなかった液体を溜めることができる。これにより、仮に過剰に給水が行われたり、排水口２５（図７参照）などに不具合が起こったりした場合でも、住宅や送風ユニット３等に液体があふれ出ることを抑制できる。
【００５９】
なお、水受け部２６の形状は、貯水部２４からあふれた液体を溜めることができる形状であればよく、図５等で図示する形状に限られない。また、加湿ユニット５は水受け部２６を備えていなくてもよい。
【００６０】
図７に示すように、加湿ユニット５は、加湿部４と、内筒風路１８と、吸込連通風路２０と、外筒風路２２と、貯水部２４と、を有する。
【００６１】
吸込連通風路２０は、吸込口１６と内筒１９とを連通するダクト形状の風路であり、吸込口１６から吸いこまれた空気は、吸込連通風路２０を介して内筒１９内部に至る構成となっている。
【００６２】
内筒風路１８は、内筒１９の下端に設けられた開口（通風口２１）を介して、内筒１９の外側に設けられた外筒風路２２（図７の破線矢符で示す風路）と連通している。
【００６３】
外筒風路２２は、内筒１９と外筒２３との間に形成されている。外筒風路２２の一部は、内筒１９と外筒２３とで仕切られる領域に形成される。
【００６４】
貯水部２４は、加湿ユニット５の下部に設けられ、液体を貯留する。また、貯水部２４は、略すり鉢形状に形成されて、貯水部２４の側壁は、外筒２３の下端と接続されて一体化している。貯水部２４に貯留する液体は例えば水や次亜塩素酸水である。以下、説明のために貯水部２４に貯留する液体は水とする。
連続的に水を微細化させるために、加湿ユニット５には、水を貯水部２４へ給水する給水口２９と、貯水部２４より水を排出する排水口２５が備えられている。給水口２９は、外筒２３に設けられており、水は図３に示す水面４４まで貯水される。また、排水口２５は貯水部２４の下部であるすり鉢形状の貯水部底面に設けられている。給水口２９は給水管３０と接続されており、給水管は、電磁弁等の開閉手段を介して、例えば、住宅や施設の上水道や給水ポンプなどの給水設備に接続されている。また、排水口２５は、排水管２８を介して、住宅や施設に設けられている排水口などの排水設備に接続されている。
【００６５】
加湿部４は、吸上管３２と、回転板３３と、モータ３４と、を有する。また、加湿部４は、内筒１９の内側すなわち内筒１９に覆われる位置に設けられている。
【００６６】
吸上管３２は、回転により貯水部２４から水を吸い上げる。また、吸上管３２は中空の円錐台形状に形成され、直径の小さい側の先端が貯水部２４に貯水された水の水面以下になるように設けられている。回転板３３は、中央が開口したドーナツ状の円板形状に形成され、吸上管３２の直径の大きい側、言い換えれば吸上管３２の上部の周囲に配置されている。吸上管３２の直径の大きい側には、その側面に複数の開口が設けられており、吸上げた水が開口を通過して回転板３３に供給されるようになっている。そして、回転板３３は、吸上管３２により吸い上げられた水を回転面方向に放出する。モータ３４は、吸上管３２および回転板３３を回転させる。
【００６７】
さらに、加湿ユニット５は、その側面に加湿制御部２７を備えていてもよい（図１参照）。加湿制御部２７は、加湿ユニット５、特に加湿部４の運転を制御することで加湿量を制御する。これにより、加湿ユニット５は送風ユニット３と連動して動作したり、連動せず単独で動作したりできるようになる。
【００６８】
なお、加湿制御部２７が設けられる位置は図１等に示す位置に限られない。また、加湿ユニット５は加湿制御部２７を備えず、送風ユニット３を制御する制御部により制御される構成であってもよい。
【００６９】
また、加湿ユニット５は、電解ユニット７により生成された電解水（例えば、次亜塩素酸水）を貯留する貯水タンク４０（図１参照）を備えているとしてもよい。加湿ユニット５が貯水タンク４０を備えることで、生成した電解水を貯水タンク４０に貯めておくことができる。これにより、貯水タンク４０に電解水があり電解水を生成する必要がない、すなわち電解ユニット７を運転させる必要がない場合には、電極６への通電を止めることができる。この結果、省エネ性を向上させることができる。
【００７０】
以下、図７を用いて加湿ユニット５の動作について説明する。
【００７１】
初めに、図示しない給水設備より水が給水口２９から貯水部２４に供給され、貯水部２４に水が貯水される。そして、送風ユニット３によって吸込口１６から加湿ユニット５内部に吸い込まれた空気は、吸込連通風路２０、内筒風路１８、加湿部４、外筒風路２２の順に通過し、吹出口１７から外部例えば室内に向けて吹出される。このとき、加湿部４によって発生した水滴と、内筒風路１８を通過する空気とが接触し、水滴が気化することにより空気を加湿することができる。また、貯水部２４に貯水された水は、所定時間が経過したのち排水口２５から排出される。
【００７２】
その詳細な動作を説明する。
【００７３】
吸込口１６から吸込連通風路２０を通過して内筒風路１８の内筒に取り込まれた空気は、加湿部４を通過する。吸上管３２および回転板３３がモータ３４の動作により回転すると、回転により貯水部２４に貯水された水が吸上管３２の内壁面を伝って上昇する。上昇した水は、回転板３３の表面を伝って引き伸ばされ、回転板３３の外周端から回転面方向に向かって微細な水滴として放出される。放出された水滴は内筒１９の内壁面に衝突して破砕され、さらに微細な水滴となる。この回転板３３から放出された水滴と、内筒１９の内壁面に衝突し破砕された水滴とが内筒１９を通過する空気と接触し、水滴が気化して空気の加湿が行われる。なお、発生した水滴の一部は気化しないが、加湿部４を内筒１９で覆われるように配置しているので、気化しなかった水滴は内筒１９の内側表面に付着して貯水部２４に落下する。
【００７４】
そして、水滴を含んだ空気（加湿された空気）は、内筒１９の下端に設けられた通風口２１から下方に設けられた貯水部２４に向けて吹出される。そして、内筒１９と外筒２３との間に形成された外筒風路２２に向かって流れる。ここで、外筒風路２２内を通過する空気は鉛直方向上方に向かって送風されるため、内筒風路１８内を下方に流れる空気と送風方向が対向する向きに変わることとなる。
【００７５】
このとき、通風口２１から空気とともに吹出された水滴はその慣性により空気の流れに追従できず、貯水部２４の水面もしくは外筒２３の内側壁面に付着する。この作用は水滴の重量が大きいほど作用が大きく、すなわち、気化しにくい直径の大きな水滴ほど作用が大きいため、これにより大粒の水滴を流れる空気から分離することができる。
【００７６】
そして、内筒風路１８から通風口２１を介して外筒風路２２に流入した空気は、外筒風路２２を通って上向きに流れる。そして、吹出口１７から外部に吹き出される。このとき、水滴の一部は重力により貯水部２４へ落下する、もしくは、内筒１９の外壁や外筒２３の内壁に付着する。そして、内筒１９の外壁や外筒２３の内壁に付着した水滴は、内筒１９の外側壁面や外筒２３の内側壁面を伝って貯水部２４へ落下する。
【００７７】
以上述べたようにして、本発明の加湿ユニット５は、液体を微細化して空気を加湿することができる。加湿ユニット５は、回転板３３の回転数により加湿量を制御することができる。これにより、たとえば熱交換素子２が、通過する空気の状態や湿度回収効率等によって加湿量が一定値に定まるようなもので、加湿量を制御することが難しいものであったとしても、加湿部４による加湿量コントロールをあわせて行うことで、より適切に湿度を制御することができる。すなわち、熱交換素子２と湿度量が可変である加湿ユニット５とによって、全体として、より的確に室内等の湿度を目標とする湿度とすることができる。
【００７８】
ここで、加湿ユニット５に加湿される液体は上述したように、次亜塩素酸水であってもよい。具体的には、電解ユニット７で生成された次亜塩素酸水が加湿ユニット５に供給され、その次亜塩素酸水を用いて空気を加湿する構成であってもよい。これにより、室内に供給される空気の除菌・脱臭を行うことができる。
【００７９】
さらに、加湿ユニット５で加湿に用いられる液体は、水を電気分解して得られる、有用な機能を獲得した他の水溶液であってもよい。具体的には、アルカリイオン水（アルカリ性電解水）や弱酸性電解水、微酸性電解水、オゾン水、電解次亜水、水素水等であってもよい。また、例えばアルカリイオン水が用いられる場合には、電解槽の役割を果たす電解ユニット７を、隔膜を有する二室型にしてもよい。これにより、室内に供給される空気の加湿・除菌・脱臭を、それぞれの電解水の特徴に応じて行うことができる。
【００８０】
また、加湿ユニット５で加湿へ供給される水は、水道から直接供給されるものだけでなく、例えば加湿ユニット５に設けたフィルター等のろ過部材を通過した後の水であってもよい。これにより、加湿ユニット５内部にスケールがより付着しにくくなる。
【００８１】
次に、加湿ユニット５の運転と送風ユニット３の運転の関係について説明する。
【００８２】
加湿部４による加湿運転は、送風ユニット３の運転と連動して行われてもよい。これにより、より適切に湿度制御を行うことができる。
【００８３】
たとえば、熱交換素子２による湿度制御のみを行っている運転中に、送風ユニット３の制御部により、さらに加湿が必要であると判断した場合には、送風ユニット３の制御部から加湿制御部２７に加湿運転を開始する指示を出す。そして、この指示を受けた加湿制御部２７は加湿部４に運転開始の指示をする。これにより、より適切かつ速やかに加湿量すなわち室内の湿度をコントロールすることが可能になる。
【００８４】
なお、連動の仕方については上述したものに限られず、住宅の部屋数や使用者の好みに合わせて、室内の湿度を最適にコントロールするために適切な制御方法を適宜採用することとする。また、加湿ユニット５の運転を制御するのは加湿制御部２７であっても、送風ユニット３の制御部であってもよい。
【００８５】
さらに、加湿部４による加湿運転は、上述したように送風ユニット３の熱交換素子２による湿度回収から独立して行われてもよい。これにより、熱交換素子２による湿度回収が行われているか否かに関わらず、室内に供給する空気の加湿を制御することができる。また、送風ユニット３の風量を上げることなく、加湿部４の運転により、加湿量を上げることができる。
【００８６】
なお、電解ユニット７は、加湿ユニット５と別体であるとしてもよい。電解ユニット７と加湿ユニット５が別体であることで、電解ユニット７と加湿ユニット５を個別にメンテナンスすることができ、メンテナンス性が向上する。
【００８７】
また、加湿ユニット５には、エリミネータを設けてもよい。エリミネータは、加湿部４により破砕された水滴のうち、大粒の水滴を捕集する。これにより、大粒の水滴が吹出口１７から吹き出されることを抑制し、使用者の不快感を抑制できる。エリミネータは例えば吹出口１７近傍や加湿部４を覆うように内筒１９に設けられる。
【００８８】
さらに、吹出口１７は加湿ユニット５の天面ではなく側面に設けてもよい。これにより、加湿された空気が加湿ユニット５の側面から吹き出されることとなるので、上方向からの吹き出しの場合には設置できないようなところにも加湿ユニット５の設置が可能となり、加湿ユニット５の汎用性が向上する。
【００８９】
また、送風ユニット３における外気吸込口１１、給気口１３、室内空気吸込口１０および排気口１２の配置は一例であって、送風ユニット３の種類や送風ユニット３が設置される場所等に応じて適宜設定できるものとする。
【００９０】
さらに、本実施の形態においては、加湿ユニット５は支持部４６を介して送風ユニット３に設置されることとしたが、加湿ユニット５と送風ユニット３の接続方法はこれに限られず、加湿ユニット５と送風ユニット３が連通すればよい。
【００９１】
以上、本発明に係る熱交換形換気装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００９２】
本発明の熱交換形換気装置は、外気と室内空気の熱交換を目的とするダクト式の換気装置、ダクト式の空気調和装置等として有用である。
【符号の説明】
【００９３】
１    熱交換形換気装置
２    熱交換素子
３    送風ユニット
４    加湿部
５    加湿ユニット
６    電極
６ａ    第一の電極
６ｂ    第二の電極
７    電解ユニット
８    給気ファン
９    排気ファン
１０    室内空気吸込口
１１    外気吸込口
１２    排気口
１３    給気口
１４    給気風路
１５    排気風路
１６    吸込口
１７    吹出口
１８    内筒風路
１９    内筒
２０    吸込連通風路
２１    通風口
２２    外筒風路
２３    外筒
２４    貯水部
２５    排水口
２６    水受け部
２７    加湿制御部
２８    排水管
２９    給水口
３０    給水管
３２    吸上管
３３    回転板
３４    モータ
３６    本体ケース
４０    貯水タンク
４４    水面
４５    ダクト
４６    支持部
４６ａ    脚部分
４６ｂ    台座部分
５０    配管
１００    部屋
１０２Ａ    除加湿換気装置
１２１    熱交換素子
１２４Ｃ    送風ファン部
１２９ａ    散水装置
【図１】
2020085376.tif 000003
【図２】
2020085376.tif 000004
【図３】
2020085376.tif 000005
【図４】
2020085376.tif 000006
【図５】
2020085376.tif 000007
【図６】
2020085376.tif 000008
【図７】
2020085376.tif 000009
【図８】
2020085376.tif 000010